【手続補正書】
【提出日】平成22年5月24日(2010.5.24)
【手続補正１】
【補正対象書類名】明細書
【補正対象項目名】０００６
【補正方法】変更
【補正の内容】
【０００６】
【図１】波長と前記保護層の適用前後のリチウム金属の強度の関係を示す赤外分光プロットである。
【図２】前記保護層を有するリチウム金属についての示差走査熱量測定プロットである。
【図３】インピーダンス試験の実験装置の図である。
【図４】保護層を形成するクロロトリメチルシラン前駆体および参照材料についてのインピーダンスのプロットである。
【図５】保護層を形成するクロロジイソプロピルホスフィン前駆体および参照材料についてのインピーダンスのプロットである。
【図６】保護層を形成するクロロジエチルホスフィン前駆体および参照材料についてのインピーダンスのプロットである。
【図７】保護層を形成するブロモジメチルボラン前駆体(Bromodimethylborane precursor)および参照材料についてのインピーダンスのプロットである。
【図８】保護層を形成するクロロトリメチルシラン、クロロジイソプロピルホスフィン、クロロジエチルホスフィン、ブロモジメチルボラン前駆体(Bromodimethylborane precursor)および参照材料についての抵抗のプロットである。
【手続補正２】
【補正対象書類名】明細書
【補正対象項目名】００１３
【補正方法】変更
【補正の内容】
【００１３】
前記アルキル基は、メチル、エチル、ｎ−プロピル、イソプロピル、ｎ−ブチル、イソブチル、ｓｅｃ−ブチル、ｔｅｒｔ−ブチル、ｔｅｒｔ−ペンチル、ｉｓｏ−オクチル、ｔｅｒｔ−オクチル、２−エチヘキシル(2-ethyhexyl)、ノニル、デシル、ウンデシル、シクロペンチル、シクロヘキシル、シクロヘプチル、シクロオクチル、１−メチルシクロペンチル、１−メチルシクロヘキシルル、およびｌ−メチル−４−イソプロピルシクロヘキシルであってよいが、記載していない他のアルキル基を本発明に使用してよい。前記アルキル基は官能化されていてもよい。好適な官能基としては、数例を挙げると、エーテル、スルフィド、スルホキシド：が挙げられる。
【手続補正３】
【補正対象書類名】特許請求の範囲
【補正対象項目名】全文
【補正方法】変更
【補正の内容】
【特許請求の範囲】
【請求項１】
酸素含有層を有する金属材料と、
ＤまたはＰブロック前駆体を該酸素含有層と反応させることにより形成される化学的に結合された保護層と、
を含むことを特徴とする電気化学セル用陽極。
【請求項２】
前記ＤまたはＰブロック前駆体が有機金属化合物であることを特徴とする請求項１に記載の陽極。
【請求項３】
前記金属材料がアルカリ金属およびアルカリ土類金属から選択されることを特徴とする請求項１に記載の陽極。
【請求項４】
前記金属材料がリチウムを含むことを特徴とする請求項１に記載の陽極。
【請求項５】
前記ＤまたはＰブロック前駆体が、式：ＡＲ1Ｒ2Ｘ（式中、Ａはリン(phosphorous)またはホウ素から選択され、Ｘはハロゲンまたはハロゲン含有化合物であり、Ｒ1は、ハロゲン、１〜２０個の炭素を有するアルキル基、１〜２０個の炭素を含むアルコキシ基、または１〜２０個の炭素を有する芳香族基から選択され、Ｒ2は、ハロゲン、１〜２０個の炭素を有するアルキル基、１〜２０個の炭素を含むアルコキシ基、または１〜２０個の炭素を有する芳香族基から選択される）の化学化合物を含むことを特徴とする請求項１に記載の陽極。
【請求項６】
前記ハロゲンが塩素、臭素、フッ素、およびヨウ素であることを特徴とする請求項５に記載の陽極。
【請求項７】
前記アルキル基、アルコキシ基、および芳香族基が、フッ素化されていてよく、または部分的にフッ素化されていてよいことを特徴とする請求項５に記載の陽極。
【請求項８】
前記アルキル基が官能化されていることを特徴とする請求項５に記載の陽極。
【請求項９】
前記アルキル基が、メチル、エチル、ｎ−プロピル、イソプロピル、ｎ−ブチル、イソブチル、ｓｅｃ−ブチル、ｔｅｒｔ−ブチル、ｔｅｒｔ−ペンチル、ｉｓｏ−オクチル、ｔｅｒｔ−オクチル、２−エチヘキシル、ノニル、デシル、ウンデシル、シクロペンチル、シクロヘキシル、シクロヘプチル、シクロオクチル、１−メチルシクロペンチル、１−メチルシクロヘキシル、およびｌ−メチル−４−イソプロピルシクロヘキシルから選択されることを特徴とする請求項５に記載の陽極。
【請求項１０】
前記芳香族基が、フェニル基、パラ位、メタ位またはオルト位にアルキル置換基を有するフェニル基、および多環芳香族化合物から選択されることを特徴とする請求項５に記載の陽極。
【請求項１１】
前記ＤまたはＰブロック前駆体が、式：ＡＲ1Ｒ2Ｒ3Ｒ4Ｘ（式中、Ａはリンであり、Ｘはハロゲンまたはハロゲン含有化合物であり、Ｒ1は、ハロゲン、１〜２０個の炭素を有するアルキル基、１〜２０個の炭素を含むアルコキシ基、１〜２０個の炭素を有する芳香族基、または酸素から選択され、Ｒ2は、ハロゲン、１〜２０個の炭素を有するアルキル基、１〜２０個の炭素を含むアルコキシ基、１〜２０個の炭素を有する芳香族基、または酸素から選択され、Ｒ3は、ハロゲン、１〜２０個の炭素を有するアルキル基、１〜２０個の炭素を含むアルコキシ基、１〜２０個の炭素を有する芳香族基、または酸素から選択され、Ｒ4は、ハロゲン、１〜２０個の炭素を有するアルキル基、１〜２０個の炭素を含むアルコキシ基、１〜２０個の炭素を有する芳香族基、または酸素から選択される）の化学化合物を含むことを特徴とする請求項１に記載の陽極。
【請求項１２】
前記ハロゲンが塩素、臭素、フッ素、およびヨウ素であることを特徴とする請求項１１に記載の陽極。
【請求項１３】
前記アルキル基、アルコキシ基、および芳香族基が、フッ素化されていてよく、または部分的にフッ素化されていてよいことを特徴とする請求項１１に記載の陽極。
【請求項１４】
前記アルキル基が官能化されていることを特徴とする請求項１１に記載の陽極。
【請求項１５】
前記アルキル基が、メチル、エチル、ｎ−プロピル、イソプロピル、ｎ−ブチル、イソブチル、ｓｅｃ−ブチル、ｔｅｒｔ−ブチル、ｔｅｒｔ−ペンチル、ｉｓｏ−オクチル、ｔｅｒｔ−オクチル、２−エチヘキシル、ノニル、デシル、ウンデシル、シクロペンチル、シクロヘキシル、シクロヘプチル、シクロオクチル、１−メチルシクロペンチル、１−メチルシクロヘキシル、およびｌ−メチル−４−イソプロピルシクロヘキシルから選択されることを特徴とする請求項１１に記載の陽極。
【請求項１６】
前記ＤまたはＰブロック前駆体が、式：ＳｉＲ1Ｒ2Ｒ3Ｘ（式中、Ｘはハロゲンまたはハロゲン含有化合物であり、Ｒ1は、水素、ハロゲン、１〜２０個の炭素を有するアルキル基、１〜２０個の炭素を含むアルコキシ基、または１〜２０個の炭素を有する芳香族基から選択され、Ｒ2は、水素、ハロゲン、１〜２０個の炭素を有するアルキル基、１〜２０個の炭素を含むアルコキシ基、または１〜２０個の炭素を有する芳香族基から選択され、Ｒ3は、水素、ハロゲン、１〜２０個の炭素を有するアルキル基、１〜２０個の炭素を含むアルコキシ基、または１〜２０個の炭素を有する芳香族基から選択される）の化学化合物を含むことを特徴とする請求項１に記載の陽極。
【請求項１７】
前記ハロゲンが塩素、臭素、フッ素、およびヨウ素であることを特徴とする請求項１６に記載の陽極。
【請求項１８】
前記アルキル基、アルコキシ基、および芳香族基が、フッ素化されていてよく、または部分的にフッ素化されていてよいことを特徴とする請求項１６に記載の陽極。
【請求項１９】
前記アルキル基が官能化されていることを特徴とする請求項１６に記載の陽極。
【請求項２０】
前記アルキル基が、メチル、エチル、ｎ−プロピル、イソプロピル、ｎ−ブチル、イソブチル、ｓｅｃ−ブチル、ｔｅｒｔ−ブチル、ｔｅｒｔ−ペンチル、ｉｓｏ−オクチル、ｔｅｒｔ−オクチル、２−エチヘキシル、ノニル、デシル、ウンデシル、シクロペンチル、シクロヘキシル、シクロヘプチル、シクロオクチル、１−メチルシクロペンチル、１−メチルシクロヘキシル、およびｌ−メチル−４−イソプロピルシクロヘキシルから選択されることを特徴とする請求項１６に記載の陽極。
【請求項２１】
酸素含有層を有する金属材料を含む陽極と、
陰極と、
電解質と、
を含み、
該陽極がＤまたはＰブロック前駆体を該酸素含有層と反応させることにより形成される化学的に結合された保護層を含んでいることを特徴とする電気化学セル。
【請求項２２】
前記ＤまたはＰブロック前駆体が、式：ＡＲ1Ｒ2Ｘ（式中、Ａはリンまたはホウ素から選択され、Ｘはハロゲンまたはハロゲン含有化合物であり、Ｒ1は、ハロゲン、１〜２０個の炭素を有するアルキル基、１〜２０個の炭素を含むアルコキシ基、または１〜２０個の炭素を有する芳香族基から選択され、Ｒ2は、ハロゲン、１〜２０個の炭素を有するアルキル基、１〜２０個の炭素を含むアルコキシ基、または１〜２０個の炭素を有する芳香族基から選択される）の化学化合物を含むことを特徴とする請求項２１に記載の電気化学セル。
【請求項２３】
前記ＤまたはＰブロック前駆体が、式：ＡＲ1Ｒ2Ｒ3Ｒ4Ｘ（式中、Ａはリンであり、Ｘはハロゲンまたはハロゲン含有化合物であり、Ｒ1は、ハロゲン、１〜２０個の炭素を有するアルキル基、１〜２０個の炭素を含むアルコキシ基、１〜２０個の炭素を有する芳香族基、または酸素から選択され、Ｒ2は、ハロゲン、１〜２０個の炭素を有するアルキル基、１〜２０個の炭素を含むアルコキシ基、１〜２０個の炭素を有する芳香族基、または酸素から選択され、Ｒ3は、ハロゲン、１〜２０個の炭素を有するアルキル基、１〜２０個の炭素を含むアルコキシ基、１〜２０個の炭素を有する芳香族基、または酸素から選択され、Ｒ4は、ハロゲン、１〜２０個の炭素を有するアルキル基、１〜２０個の炭素を含むアルコキシ基、１〜２０個の炭素を有する芳香族基、または酸素から選択される）の化学化合物を含むことを特徴とする請求項２１に記載の電気化学セル。
【請求項２４】
前記ＤまたはＰブロック前駆体が、式：ＳｉＲ1Ｒ2Ｒ3Ｘ（式中、Ｘはハロゲンまたはハロゲン含有化合物であり、Ｒ1は、水素、ハロゲン、１〜２０個の炭素を有するアルキル基、１〜２０個の炭素を含むアルコキシ基、または１〜２０個の炭素を有する芳香族基から選択され、Ｒ2は、水素、ハロゲン、１〜２０個の炭素を有するアルキル基、１〜２０個の炭素を含むアルコキシ基、または１〜２０個の炭素を有する芳香族基から選択され、Ｒ3は、水素、ハロゲン、１〜２０個の炭素を有するアルキル基、１〜２０個の炭素を含むアルコキシ基、または１〜２０個の炭素を有する芳香族基から選択される）の化学化合物を含むことを特徴とする請求項２１に記載の電気化学セル。